(57)【要約】【課題】メンテナンス性に優れ、安価で、しかも衛生的である捕虫器の提供。【解決手段】ケース本体１２を枠材１８、両側板２０、前後面板２２から構成し、枠材１８に電気部品の各配設用ガイド部２６、両側板２０を止着する止着溝２８および前後面板２２を係止する係止部３６を、両側板２０に止着溝２８に対応した止着突起３４を、前後面板２２に飛翔害虫案内用の開口部４０、捕虫紙展張用の支持部４２および係止部３６に対応した係止体４０を、それぞれ形成させ、さらに上下、左右対称に、樹脂により一体成形し、枠材１８に電気部品、左右両側面に両側板２０を配設させ、一方の前後面板２２に捕虫紙１６を支持させ、他方の前後面板２２の使用しない支持部４２を切除し、枠材１８に配設させることを特徴とする。【選択図】            図１
2005000029.tif 000002
【特許請求の範囲】
【請求項１】
ケース本体（１２）内に、誘虫ランプ（１４）と、両面に粘着剤を塗布させてなる捕虫紙（１６）と、を配設させてなる捕虫器において、
ケース本体（１２）を、枠材（１８）と、枠材（１８）の左右両側面に止着する両側板（２０）と、枠材（１８）の前後面に止着する前後面板（２２）と、から構成し、
枠材（１８）に、誘虫ランプ（１４）、ソケット、インバータ、スイッチ等の電気部品の各配設用ガイド部（２６）、両側板（２０）を止着するための止着溝（２８）および前後面板（２２）を係止させるための係止部（３６）を、
両側板（２０）に、枠材（１８）の止着溝（２８）に対応した止着突起（３４）を、
前後面板（２２）に、飛翔害虫を案内するための開口部（４０）、捕虫紙（１６）を展張、支持させるための支持部（４２）、および枠材（１８）の係止部（３６）に対応した係止体（４４）を、
それぞれ形成させ、
さらに枠材（１８）、両側板（２０）、前後面板（２２）を、それぞれ上下、左右対称に、それぞれ樹脂素材により一体成形し、
枠材（１８）の各配設用ガイド部（２６）へ電気部品を配設させ、
枠材（１８）の左右両側面に、両側板（２０）を、枠材（１８）の止着溝（２８）へ両側板（２０）の止着突起（３４）を止着させて、配設させ、
一方の前後面板（２２）の支持部（４２）に捕虫紙（１６）を展張、支持させ、
他方の前後面板（２２）の使用しない支持部（４２）を切除し、
この前後面板（２２）を、両側板（２０）を止着させた枠材（１８）に、枠材（１８）の係止部（３６）へ前後面板（２２）の係止体（４４）を係止させて、配設させてなる捕虫器。
【請求項２】
両側板（２２）の上下端部を鋭角に形成させ、ケース本体（１２）を幅狭に成形することにより、捕虫器外周面へのチリ、ほこり等の堆積を防止することを特徴とする請求項１記載の捕虫器。
【請求項３】
ケース本体（１２）内に、誘虫ランプ（１４）と、両面に粘着剤を塗布させてなる捕虫紙（１６）と、を配設させてなる捕虫器の製造方法において、
ケース本体（１２）を、枠材（１８）と、枠材（１８）の左右両側面に止着する両側板（２０）と、枠材（１８）の前後面に止着する前後面板（２２）と、から構成し、
枠材（１８）に、誘虫ランプ（１４）、ソケット、インバータ、スイッチ等の電気部品の各配設用ガイド部（２６）、両側板（２２）を止着するための止着溝（２８）および前後面板（２２）を係止させるための係止部（３６）を、
両側板（２２）に、枠材（１８）の止着溝（２８）に対応した止着突起（３４）を、
前後面板（２０）に、飛翔害虫を案内するための開口部（４０）、捕虫紙（１６）を展張、支持させるための支持部（４２）、および枠材（１８）の係止部（３６）に対応した係止体（４４）を、
それぞれ形成させ、
さらに枠材（１８）、両側板（２０）、前後面板（２２）を、それぞれ上下、左右対称に、それぞれ樹脂素材により一体成形した後、
枠材（１８）の各配設用ガイド部（２６）へ電気部品を配設させ、
枠材（１８）の左右両側面に、両側板（２０）を、枠材（１８）の止着溝（２８）へ両側板（２０）の止着突起（３４）を止着させて、配設させ、
一方の前後面板（２２）の支持部（４２）に捕虫紙（１６）を展張、支持させ、
他方の前後面板（２２）の使用しない支持部（４２）を切除し、
この前後面板（２２）を、両側板（２０）を止着させた枠材（１８）に、枠材（１８）の係止部（３６）へ前後面板（２２）の係止体（４４）を係止させて、配設させることにより、捕虫器を製造することを特徴とする捕虫器の製造方法。
【請求項４】
両側板（２０）の上下端部を鋭角に形成させ、ケース本体（１２）を幅狭に成形することにより、捕虫器外周面へのチリ、ほこり等の堆積を防止することを特徴とする請求項３記載の捕虫器の製造方法。
【発明の詳細な説明】
【０００１】
【発明の属する技術分野】
本発明は、誘虫ランプによりハエ、蚊、蛾等の飛翔害虫を誘引し、捕虫紙により捕獲する捕虫器およびその製造方法に関するものである。
【０００２】
【従来の技術】
近年、飲食店、食品加工工場において、食品を衛生的に管理する都合上、店内、工場内に侵入したハエ、蚊、蛾等の飛翔害虫を除去するため、誘引ランプにより飛翔害虫を誘引し、粘着剤を塗布した捕虫紙により捕獲する捕虫器が使用されており、この捕虫器は紙製素材により成形され（例えば、特許文献１参照）、あるいは樹脂素材およびアルミ素材により成形され（例えば特許文献２−３参照）ていた。
【０００３】
【特許文献１】特許第２６８３５１２号公報（第２−４頁、図１−４）
【特許文献２】特開平１１−４６６５７号公報（第２−３頁、図１−２）
【特許文献３】特開２０００−２４５３２２号公報（第３−４頁、図１−７）
【０００４】
【発明が解決しようとする課題】
前記特許文献１においては、ケース体を捕虫紙と共に紙製素材により成形していたため、一回毎に捕虫紙とともにケース体を取替える必要があり、使用コストが高騰するばかりか、雨、水等の付着、あるいは湿度により劣化、損傷し易く、長期間使用に供することが不可能であった。
【０００５】
加えて、蛍光灯等の誘虫ランプ上面において、ケース体を、差込み係合部をスリット係合部に差込み、係合保持させただけであるため、不意の外力により誘虫ランプへの配設位置が変動し、外力が大きい場合には、ケース体の係合が外れ、ケース体が落下し、使用不能となっていた。
【０００６】
また、特許文献２、３においては、いずれも各構成部品をねじ、ビス等の止着部材を介して止着していたため、組付作業性が良くないばかりか、捕虫紙、誘虫ランプの交換、等のメンテナンスがし難かった。
【０００７】
加えて、各構成部品が、上下、前後対称な形状に成形されてなかったため、各構成部品を上下、前後交換使用（転用）することができないばかりか、構成部品点数に応じた成形型が必要となり、このため製造コストが高騰する要因となっていた。
【０００８】
さらに、特許文献１−３は、いずれも上面が幅広な平坦面であったため、上面に、チリ、ほこり等が堆積し易く、極めて不衛生であり、また堆積したチリ、ほこり等を頻繁に除去する必要があり、飲食店、食品加工工場での使用に適していなかった。
【０００９】
このため、飲食店、食品加工工場においても、メンテナンスが容易、安価で、しかも衛生的な捕虫器が強く望まれている。
【００１０】
本発明は、このような要望に対処すべく、メンテナンス性に優れ、安価で、しかも衛生的である捕虫器およびその製造方法を提供することを目的とするものである。
【００１１】
【課題を解決するための手段】
本発明は、ケース本体内に、誘虫ランプと、両面に粘着剤を塗布させてなる捕虫紙と、を配設させてなる捕虫器において、ケース本体を、枠材と、枠材の左右両側面に止着する両側板と、枠材の前後面に止着する前後面板と、から構成し、枠材に、誘虫ランプ、ソケット、インバータ、スイッチ等の電気部品の各配設用ガイド部、両側板を止着するための止着溝および前後面板を係止させるための係止部を、両側板に、枠材の止着孔に対応した止着突起を、前後面板に、飛翔害虫を案内するための開口部、捕虫紙を展張、支持させるための支持部、および枠材の係止部に対応した係止体を、それぞれ形成させ、さらに枠材、両側板、前後面板を、それぞれ上下、左右対称に、それぞれ樹脂素材により一体成形し、枠材の各配設用ガイド部へ電気部品を配設させ、枠材の左右両側面に、両側板を、枠材の止着溝へ両側板の止着突起を止着させて、配設させ、一方の前後面板の支持部に捕虫紙を展張、支持させ、他方の前後面板の使用しない支持部を切除し、この前後面板を、両側板を止着させた枠材に、枠材の係止部へ前後面板の係止体を係止させて、配設させることを特徴とするもの、
または、両側板の上下端部を鋭角に形成させ、ケース本体を幅狭に成形することにより、捕虫器外周面へのチリ、ほこり等の堆積を防止することを特徴とするものである。
【００１２】
【発明の実施の形態】
本発明に係る捕虫器を製造する方法を、図１〜１２に基づいて、以下に詳述する。
【００１３】
本発明に係る捕虫器の基本構造は、従来品と同様、ケース本体１２内に、誘虫ランプ１４および両面に粘着剤を塗布させてなる捕虫紙１６を配設させてなるものである。
【００１４】
本発明に係る捕虫器のケース本体１２は、略矩形の枠材１８と、枠材１８の左右両側面に止着する両側板２０と、枠材１８の前後面に止着する前後面板２２と、から構成されている。
【００１５】
枠材１８は上下に配する上下枠１８ａと左右に配する左右枠１８ｂとから構成され、左右枠１８ｂに誘虫ランプ１４、ソケット、インバータ、スイッチ等の電気部品の各配設用ガイド部２６および両側板２２を止着するための止着溝２８および前後面板２２を係止させるための係止部３６を、形成させてある。
【００１６】
本例において、枠材１８の上下枠１８ａの外面には、捕虫器として使用する際に、吊上、支持するための、紐等の吊具３０を長さ調整して固定するためのフック部３２が、複数所定間隔を隔てて形成されている。
【００１７】
また、枠材１８の左右両側面は、捕虫器外周面へのチリ、ほこり等の堆積を防止するため、後述の両側板２０と同様に、幅狭に形成させてある。
【００１８】
この上下枠１８ａ、左右枠１８ｂからなる枠材１８を、上下、左右対称に、樹脂素材により一体成形する。
【００１９】
両側板２０のそれぞれには、枠材１８の止着孔２８に対応した止着突起３４を、さらに上下端部を鋭角とし、幅狭に形成させてある。
【００２０】
本例において、両側板２０のそれぞれには、その上下方向の一端側に、前後面板２２との係止を脱着するための、係止解除用の押ボタン部３８が一対形成されている。
【００２１】
この両側板２０を、左右対称に、樹脂素材により一体成形する。
【００２２】
このため、両側板２０の枠材１８への組付において、左右どちら側へでも組付可能となるばかりか、同一成形型により形成することができる。
【００２３】
前後面板２２に、飛翔害虫を案内するための開口部４０、捕虫紙１６を展張支持させるための支持部４２、および枠材１８の係止部３６に対応した係止体４４を、それぞれ形成させて、上下、左右対称に、樹脂素材により一体成形する。
【００２４】
前記、各構成要素の組付工程を以下に詳述する。
【００２５】
まず、枠材１８の各配設用ガイド部２６へ電気部品を配設させる。
【００２６】
本例において、電気部品は、誘虫ランプ１４、ソケット、インバータ、スイッチ等であり、インバータを採用することにより、誘虫ランプ１４のちらつきを無くし、紫外線出力をアップし、約２５％省エネとすることができる。
【００２７】
また、誘虫ランプ１４のスイッチには外部から操作するための操作紐（図示略）が接続され、この操作紐を引くことにより、スイッチをＯＮ、ＯＦＦＦし、誘虫ランプ１４の点灯、消灯を行う。
【００２８】
次に、枠材１８の上面の所定のフック部３２へ、紐等の吊具３０を長さ調整して係止させる。
【００２９】
この際、枠材１８は上下、左右対称に成形されているため、上下どちら側を上にしても使用でき、作業性が向上する。
【００３０】
次に、枠材１８の左右両側面に、両側板２０を、枠材１８の止着溝２８へ両側板２０の止着突起３４を止着させて、配設させる。
【００３１】
この際、両側板２０は左右対称に成形されているため、左右どちら側へも止着させることができ、作業性が向上する。
【００３２】
また、吊具３０の先端を両側板２０の通孔２４を介して外方へ延出させる。
【００３３】
次に、前面に配設させる一方の前後面板２２の支持部４２に捕虫紙１６を展張、支持させ、後面に配設させる他方の前後面板２２の使用しない支持部４２を切除する。
【００３４】
この際、前後面板２２は上下、左右対称に成形されているため、前後どちら側へも配設することができ、作業性が向上する。
【００３５】
本例において、捕虫器は壁面に密接させて設置使用するため、後面に配設させる前後面板２２の開口部４０は、同一素材により成形した閉塞板４６により閉塞してある。
【００３６】
次に、捕虫紙１６を配設させた一方の前後面板２２を前面に位置させて、閉塞板４６により開口部４０を閉塞させた前後面板２２を後面に位置させて、それぞれ枠材１８に、枠材１８の係止部３６へ前後面板２２の係止体３６を係止させて、配設させる。
【００３７】
また、捕虫紙１６の交換は、両側板２０の下端に配した一方の押ボタン部３８を押圧し、前面に配した前後面板２２と両側板２０との係止を解除し、この前後面板２２を取外し、交換した後、再びこの前後面板２２を両側板２０に係止させることにより行う。
【００３８】
これら、枠材１８、枠材１８に配した各配設用ガイド部２６、係止部３６、両側板２０、両側板２０に配した止着突起３４、前後面板２２、前後面板２２に配した支持部４２、等はいずれも樹脂素材により成形してあるため、それぞれ弾性力が付与され、電気部品、枠材１８への両側板２０の止着、枠材１８への前後面板２２の係止を強固とし、不意の外力等により捕虫器が損傷することがなく、永年使用に供することも可能となる。
【００３９】
また、捕虫紙１６、誘虫ランプ１４の交換、その他のメンテナンスは、表裏面の前後面板２２および両側板２０を取外して行う。
【００４０】
この捕虫紙１６、誘虫ランプ１４の交換、その他のメンテナンス作業において、枠材１８に配設させた両側板２０および前後面板２２は、それぞれ止着あるいは係止であるため、ドライバー等の工具を使用することなく、極めて容易に脱着することができ、作業性が極めて向上する。
【００４１】
このように、本発明に係る捕虫器によれば、ケース本体１２を上下、左右対称に一体成形された枠材１８、両側板２０および前後面板２２により構成してあるため、上下、左右、あるいは前後への配設位置を気にせずに転用することができ製造（組付）作業性が極めて向上する。
【００４２】
さらに、成形型数を削減することができ、ひいてはコストを大幅に低減することができる。
【００４３】
加えて、枠材１８に配設させた両側板２０および前後面板２２は、それぞれ止着あるいは係止させることにより、配設させてあるため、止着あるいは係止を解除することにより、ドライバー、その他の工具を使用することなく、容易に脱着することができ、捕虫紙、誘引ランプの交換、その他のメンテナンス性に優れている。
【００４４】
またさらに、両側板２０の上下端部を鋭角に形成させ、ケース本体１２を幅狭に成形することにより、ケース本体１２上面を含め外周面へのチリ、ほこり等の堆積を防止することができ、衛生的であるため、飲食店、食品加工工場において最適な捕虫器を提供することができる。
【００４５】
なお、本例において、ケース本体１２の側面形状は、上下端部を鋭角に形成し、幅狭に成形してあるが、円型、三角柱型、その他の形状とすることは自由である。
【００４６】
また、枠材１８は、上下枠１８ａと左右枠１８ｂとにより構成してあるが、略矩形の枠体構造として一体成形することは自由である。
【００４７】
また、ケース本体１２後面に配する前後面板２２の開口部４０を閉塞板４６により閉塞させてあるが、店内、屋内、工場内の壁面に密接させて使用しない場合には、閉塞させることなく、前後両面の前後面板２２の開口部４０から飛翔害虫を侵入させるべく使用に供することは自明である。
【００４８】
また、紐等の吊具３０の長さ調整は、枠材１８の上下面のフック部３２への係止位置を変更することにより行うものであるが、他の機構を採用することは自由である。
【００４９】
また、両側板２０の下端に、両側板２０と前後面板２２との係止を脱着するための押ボタン部３８を配してあるが、押ボタン部３８を省略することにより、両側板２０を左右対称だけでなく、上下対称にも成形できることは自明である。
【００５０】
【発明の効果】
本発明に係る捕虫器およびその製造方法によれば、ケース本体を上下、左右対称に一体成形された枠材、両側板および前後面板により構成してあるため、上下、左右、あるいは前後への配設位置を気にせずに転用することができ、製造（組付）作業性が極めて向上する。
【００５１】
さらに、成形型数を削減することができ、ひいてはコストを大幅に低減することができる。
【００５２】
加えて、枠材に配設させた両側板および前後面板は、それぞれ止着あるいは係止させることにより、配設させてあるため、ドライバー、その他の工具を使用することなく、止着あるいは係止を解除して容易に脱着することができ、捕虫紙、誘引ランプの交換、その他のメンテナンス性に優れている。
【００５３】
また、両側板の上下端部を鋭角に形成させ、ケース本体を幅狭に成形することにより、ケース本体上面を含め外周面へのチリ、ほこり等の堆積を防止することができ、衛生的であるため、飲食店、食品加工工場において最適な捕虫器を提供することができる。
【図面の簡単な説明】
【図１】本発明の捕虫器（捕虫紙を装着してない状態）の斜視図。
【図２】同、捕虫器（下段にのみ捕虫紙を装着した状態）の正面図。
【図３】同、要部拡大図。
【図４】同、背面図。
【図５】同、両側面図。
【図６】同、上部拡大図。
【図７】同、下部拡大図。
【図８】同、平面および底面図。
【図９】同、要部拡大図。
【図１０】枠材、両側板の斜視図。
【図１１】前後面板の斜視図。
【図１２】閉塞板の斜視図。
【符号の説明】
１２  ケース本体
１４  誘虫ランプ
１６  捕虫紙
１８  枠材
２０  両側板
２２  前後面板
２６  配設用ガイド部
２８  止着溝
３４  止着突起
３６  係止部
４０  開口部
４２  支持部
４４  係止体
【図１】
2005000029.tif 000003
【図２】
2005000029.tif 000004
【図３】
2005000029.tif 000005
【図４】
2005000029.tif 000006
【図５】
2005000029.tif 000007
【図６】
2005000029.tif 000008
【図７】
2005000029.tif 000009
【図８】
2005000029.tif 000010
【図９】
2005000029.tif 000011
【図１０】
2005000029.tif 000012
【図１１】
2005000029.tif 000013
【図１２】
2005000029.tif 000014